(57)【要約】【課題】耐熱性に優れ、長期間使用しても見映えを維持できる飲料抽出装置を提供する。【解決手段】ドリップ湯の吐出口３へ至る給水路４を加熱する電熱ヒータ５を樹脂製の本体ケース６に内蔵した飲料抽出装置を、上記本体ケース６の電熱ヒータ内蔵部分（周壁部８）の外面を樹脂製のカバー部材７で覆った構成とした。【選択図】図１
2005329054.tif 000002
【特許請求の範囲】
【請求項１】
ドリップ湯の吐出口へ至る給水路を加熱する電熱ヒータを樹脂製の本体ケースに内蔵した飲料抽出装置において、上記本体ケースの電熱ヒータ内蔵部分の外面を樹脂製のカバー部材で覆ったことを特徴とする飲料抽出装置。
【請求項２】
上記カバー部材と上記本体ケースとの間に空気層を介在させたことを特徴とする請求項１に記載の飲料抽出装置。
【請求項３】
上記カバー部材に爪部を設け、この爪部の爪受け部を上記本体ケースに設け、上記爪部と上記爪受け部との係合により上記カバー部材のズレ止めとしたことを特徴とする請求項１または２に記載の飲料抽出装置。
【請求項４】
上記爪受け部が上記本体ケースに形成された開口からなり、上記本体ケースの内面に、上記爪受け部からの浸入水が上記電熱ヒータの充電部に流れることを防止するリブを設けたことを特徴とする請求項３に記載の飲料抽出装置。
【発明の詳細な説明】
【技術分野】
【０００１】
この発明は、コーヒーメーカーなどのドリップ式の飲料抽出装置に関し、より詳しくは、耐熱構造に特徴を有するものに関する。
【背景技術】
【０００２】
ドリップ式の飲料抽出装置の代表的なものに、例えば、水タンク部と、この水タンク部からドリップ口へ連通する給水路と、この給水路を加熱する電熱ヒータと、ドリップ口から落下した熱水でコーヒーを抽出する抽出部と、抽出されたコーヒーを溜めるジャグの載置部とを備え、上記給水路と上記電熱ヒータとを樹脂製の本体ケースに内蔵すると共に、この本体ケースの上面に、上記水タンク部と、上記ドリップ口の支持部と、上記載置部とを設けた家庭用のドリップ式コーヒーメーカーがある（特許文献１）。
【０００３】
【特許文献１】特開２００３−２１９９６９号公報（図１参照）
【発明の開示】
【発明が解決しようとする課題】
【０００４】
しかしながら、特許文献１のもののように、樹脂製の上記本体ケースを備えた飲料抽出装置では、上記電熱ヒータが発生する熱により、上記本体ケースが次第に変形・変色し、長期間使用すると飲料抽出装置の見映えが悪くなるという問題があった。
【０００５】
そこで、この発明の課題は、耐熱性に優れ、長期間使用しても見映えを維持できる飲料抽出装置を提供することである。
【課題を解決するための手段】
【０００６】
上記の課題を解決するための手段として、この発明は、ドリップ湯の吐出口へ至る給水路を加熱する電熱ヒータを樹脂製の本体ケースに内蔵した飲料抽出装置を、上記本体ケースの電熱ヒータ内蔵部分の外面を樹脂製のカバー部材で覆った構成とした。
【０００７】
上記構成によれば、上記本体ケースの電熱ヒータ内蔵部分の外面を樹脂製のカバー部材で覆ったので、電熱ヒータから熱を浴びる上記本体ケース部分の熱容量が大きくなり、上記本体ケースに変形・変色が生じ難くなる。無論、従来よりも時間を要するが、この発明によっても、上記本体ケースに変形・変色が生じることは避けられない。しかし、この発明の飲料抽出装置は、上記本体ケースの電熱ヒータ内蔵部分の外面が上記カバー部材で覆われているため、変形や変色が外観上、視認されることがない。
【発明の効果】
【０００８】
したがって、この発明によれば、上記本体ケースの電熱ヒータ内蔵部分の外面を樹脂製のカバー部材で覆ったので、耐熱性に優れ、長期間使用しても見映えを維持できる飲料抽出装置を提供することができる。
【発明を実施するための最良の形態】
【０００９】
以下、この発明の最良の実施形態に係る飲料抽出装置を添付図面に基づいて説明する。
図１、図２に示すように、飲料抽出装置１は、水タンク部２と、ドリップ湯の吐出口３へ至る給水路４を加熱する電熱ヒータ５と、給水路４および電熱ヒータ５を内蔵した樹脂製の本体ケース６と、この本体ケース６の電熱ヒータ内蔵部分の外面を覆う樹脂製のカバー部材７とを備える家庭用のドリップ式コーヒーメーカーである。
【００１０】
図３、図４に示すように、本体ケース６は、断面視において略楕円環状の周壁部８を有し、この周壁部８の上面には、吐出口支持部９と、水タンク部２が設置される固定座部１０と、ジャグＪの載置部１１とが設けられている。
【００１１】
図１に示すように、水タンク部２は、上面開口で有底筒状のタンク１２と、タンク１２が着脱自在に装着される収容ケース１３とからなる。タンク１２は、その底に、弁部１４と、タンク１２を垂直方向に支持する環状の突底部１５とを有する。タンク１２が後述の収容ケース１３に装着された状態において、弁部１４は、固定座部１０に設けられた給水路４の導入口４ａに挿入され、開弁状態となる。
【００１２】
図１、図３、図５、図６に示すように、吐出口支持部９は、固定座部１０と隣接するように周壁部８の上面に立設された支柱部１６と、この支柱部１６の上端に形成された吐出口取付部１７とを有する。支柱部１６は、収容ケース１３との対向側面に、上下方向に平行する中空凸部１６ａが形成されている。一方、収容ケース１３は、支柱部１６との対向側面が中空凸部１６ａとの噛合い面１３ａとされ、収容ケース１３の底面が固定座部１０と当接するようになっている。これにより、飲料抽出装置１は、収容ケース１３に満水のタンク１２を装着した状態でも、水タンク部２の振れが防止されるようになる。
【００１３】
さらに、収容ケース１３は、中空凸部１６ａに沿って案内リブ１３ｂが形成され、支柱部１６には、案内リブ１３ｂを受ける案内溝１６ｂが形成されている。これにより、飲料抽出装置１は、水タンク部２の振れがより確実に防止されると共に、支柱部１６に添わせて下方へスライドさせることができるようになり、収容ケース１３の添え付けが容易になる。
【００１４】
また、収容ケース１３の上端には、吐出口取付部１７の上面を覆うように嵌め合わされる天井部１８が形成されている。この天井部１８には、その上面を覆う天蓋１９が着脱自在に装着される。
【００１５】
収容ケース１３は、その底面が固定座部１０と当接した状態で、天井部１８の下面と収容ケース１３の底面とに形成されたボス部２０が、固定座部１０の上面と吐出口取付部１７の上面とに形成されたボス受孔２１に挿入されるようになっている。ボス部２０は、ボス受孔２１を介して本体ケース６にビス止めされる。
【００１６】
吐出口取付部１７の下面には、吐出口３が取り付けられており、吐出口３内には、給水路４の流出口４ｂが吐出口取付部１７に形成された挿入孔２２に設置されている。
【００１７】
ところで、特開２００２−０５１９１５号公報に記載されたコーヒーメーカーのように、吐出口で立ち上がった蒸気が天蓋の下面に沿って拡散する構造では、天蓋の下面全体に結露が生じ、水垢などが付き易くなる。そこで、飲料抽出装置１では、吐出口取付部１７の上面に蒸気口部材２３が設けられている。
【００１８】
蒸気口部材２３は、吐出口取付部１７の上面を覆うように形成されている。蒸気口部材２３の上面には、突出部２４が形成されている。突出部２４は、天井部１８に形成された貫通孔１８ａに通された状態で、天蓋１９の下面に形成された環状リブ部２５の内周面に嵌め合わされる。環状リブ部２５は、天蓋１９に形成された蒸気孔２６の全周を囲むように設けられている。突出部２４には、蒸気抜け孔２７が形成されている。蒸気抜け孔２７は、突出部２４が環状リブ部２５に嵌められた状態で、蒸気孔２６と連通するように設けられている。
【００１９】
上述のように蒸気口部材２３を設けると、吐出口３で立ち上がった蒸気が挿入孔２２から侵入しても、蒸気が天蓋１９の下面全体に沿って拡散することなく、その全てが蒸気口部材２３に導かれ、蒸気孔２６から排出される。これにより、飲料抽出装置１は、天蓋１９の下面全体に結露を生じることがなくなり、衛生的なものとなる。
【００２０】
図１、図３、図４に示すように、吐出口３の下方には、周壁部８の上面に取り付けられた放熱プレートからなる載置部１１が設けられている。この載置部１１の下方には、導入口４ａから載置部１１の下を通って、支柱部１６の中空凸部１６ａ内を上り（図５参照）、吐出口取付部１７を経て吐出口３へ至る給水路４の一部と、給水路４を加熱する電熱ヒータ５と、この電熱ヒータ５の充電部５ａとが配設されている。このように電熱ヒータ５を本体ケース６に内蔵すると、載置部１１付近の周壁部８が電熱ヒータ５の発熱により変形・変色することが避けられない。
【００２１】
そこで、飲料抽出装置１では、本体ケース６の耐熱性を向上させるため、周壁部８部分の外面に、カバー部材７が取り付けられている。カバー部材７は、本体ケース６の上方から周壁部８まで挿し通せるように上面が開口されている。また、カバー部材７は、本体ケース６に取り付けられた状態で、周壁部８の外面を全周に亘って覆い、さらに固定座部１０の上面も覆うように形成されている。このようにカバー部材７を固定座部１０の上面も覆うように形成すると、収容ケース１３を固定座部１０に固定した状態で、カバー部材７が収容ケース１３と固定座部１０との間に挟まれるようになり、カバー部材７が本体ケース６にしっかりと固定される。
【００２２】
また、図７（ａ）に拡大図示するように、飲料抽出装置１では、カバー部材７が本体ケース６に取り付けられた状態で、カバー部材７と本体ケース６との間に、空気層２８が介在させられるように構成されている。
【００２３】
具体的には、周壁部８の外面下端に、外方へ膨出する段部８ａが全周に亘って形成され、カバー部材７の内面下端に、段部８ａの稜部と当接する当り部７ａが全周に亘って形成されている。さらに、周壁部８の上端には、載置部１１を囲む縁部８ｂが形成され、カバー部材７の上面には、縁部８ｂと重なる上板部７ｂが形成されている。空気層２８は、カバー部材７を本体ケース６に取り付けた状態で、カバー部材７の内面と周壁部８の外面とで閉塞される隙間からなる。このように、カバー部材７と本体ケース６との間に空気層２８を介在させると、飲料抽出装置１は、本体ケース６を介してカバー部材７に伝熱し難くなり、カバー部材７の変形・変色がより防止されるようになる。
【００２４】
カバー部材７の取付け構造について述べる。カバー部材７には、上板部７ｂの下面に爪部２９が複数設けられている。一方、本体ケース６には、縁部８ｂの上面に、開口からなる爪受け部３０が形成されている。爪部２９は、爪受け部３０に挿入された状態で、爪受け部３０と係合するようになっている。この係合により、カバー部材７の内外方向のズレ止めとされる。
【００２５】
さらに、図７（ｂ）に示すように、周壁部８の外面には、複数の窪み部３１が形成され、カバー部材７の内面には、爪部２９が爪受け部３０に挿入された状態で、窪み部３１に係合される突起部３２が形成されている。これにより、カバー部材７の上下方向のズレ止めとされる。
【００２６】
カバー部材７の取付けは、カバー部材７を上方から本体ケース６に嵌め、爪部２９、突起部３２をそれぞれ係合させ、収容ケース１３を本体ケース６に取り付けると完了する。
【００２７】
ところで、飲料抽出装置１では、縁部８ｂがジャグＪの載置部１１と隣接するため、ドリップ湯やジャグＪなどからの溢れ水が、爪受け部３０から本体ケース６内に浸入することも起こり得る。そこで、飲料抽出装置１では、本体ケース６の内面に、爪受け部３０からの浸入水が電熱ヒータ５の充電部５ａに流れることを防止するリブ３３が設けられている。これにより、飲料抽出装置１は、爪受け部３０からの浸入水から充電部５ａが防水され、安全性が高められる。
【００２８】
具体的には、爪受け部３０と充電部５ａとの間に位置する縁部８ｂの下面に、リブ３３が載置部１１に沿った円周状に形成され、爪受け部３０からの浸入水が、リブ３３の外側面３３ａを伝って垂下し、爪受け部３０の下方に設けられた排水口３４へ落下するようになっている。
【００２９】
上記構成を有する飲料抽出装置１において、耐熱性を重視するならば、本体ケース６、カバー部材７の原料樹脂には、ポリプロピレン樹脂（以下、Ｐ．Ｐ樹脂という）などの耐熱性に優れた樹脂を用いるとよい。しかし、Ｐ．Ｐ樹脂は、塗装性が悪い。このため、カバー部材７と収容ケース１３とをＰ．Ｐ樹脂製にすると、飲料抽出装置１の塗装が困難となり、製品デザインの選択幅が狭まる。そこで、飲料抽出装置１では、本体ケース６を耐熱性に優れた樹脂製とし、カバー部材７と収容ケース１３には、本体ケース６よりも塗装性に優れた樹脂を用いることが好ましい。
【００３０】
具体的には、本体ケース６のみをＰ．Ｐ樹脂製とし、カバー部材７と収容ケース１３とを、アクリロニトリル・ブタジエンスチレン樹脂（以下、ＡＢＳ樹脂という）製にするとよい。ＡＢＳ樹脂は良好な塗装性を有するので、飲料抽出装置１は、カバー部材７と収容ケース１３に多様な塗装を施すことが可能になる。特に、飲料抽出装置１は、全体の大部分を占めるタンク１２を別体の収容ケース１３で覆った構造なので、耐熱性を向上させつつ、意匠性を向上させることができる。
【００３１】
上記構成を有する飲料抽出装置１では、ドリップ湯がフィルタカップＣ内に落下し、フィルタカップＣで抽出されたコーヒー液がジャグＪに貯留される。ところで、ジャグＪ内のコーヒー液を魔法瓶などに移す際、ジャグＪ内のコーヒー液が残り少なくなると、ジャグＪが底広がりになっているため、ジャグＪを大きく傾ける必要がある。この際、フィルタやコーヒー抽出カスに残ったコーヒー液（以下、残り液という）が、フィルタカップＣの内面を伝ってジャグＪから漏れ易い。
【００３２】
そこで、図８（ａ）、（ｂ）に示すように、フィルタカップＣには、その周方向においてジャグＪの注ぎ口３５と対向し、深さ方向において注ぎ口３５よりも深い位置にスリット３６が形成されている。このようにスリット３６を設けると、残り液は、スリット３６から流れ落ち、ジャグＪの内壁面３７に受け止められるようになる。これにより、残り液がジャグＪ内に還流されるようになり、ジャグＪから残り液が漏出することが防止される。
【図面の簡単な説明】
【００３３】
【図１】この発明の最良の実施形態に係る飲料抽出装置の縦断正面図。
【図２】図１の飲料抽出装置の正面図。
【図３】図１の飲料抽出装置の本体ケースとカバー部材の分解斜視図。
【図４】図１のIV−IV線の断面図。
【図５】図１のＶ−Ｖ線の断面図。
【図６】図１の飲料抽出装置の収容ケースと天蓋の分解斜視図。
【図７】（ａ）は図１の飲料抽出装置のカバー部材に形成された爪部付近の部分拡大断面図、（ｂ）は図１の飲料抽出装置のカバー部材に形成された突起部付近の部分拡大断面図。
【図８】（ａ）は図１のフィルタカップの正面図、（ｂ）は（ａ）のフィルタカップの使用状態を示す部分拡大断面図。
【符号の説明】
【００３４】
１  飲料抽出装置
２  水タンク部
３  吐出口
４  給水路
４ａ  導入口
４ｂ  流出口
５  電熱ヒータ
５ａ  充電部
６  本体ケース
７  カバー部材
７ａ  当り部
７ｂ  上板部
８  周壁部
８ａ  段部
８ｂ  縁部
９  吐出口支持部
１０  固定座部
１１  載置部
１２  タンク
１３  収容ケース
１３ａ  噛合い面
１３ｂ  案内リブ
１４  弁部
１５  突底部
１６  支柱部
１６ａ  中空凸部
１６ｂ  案内溝
１７  吐出口取付部
１８  天井部
１８ａ  貫通孔
１９  天蓋
２０  ボス部
２１  ボス受孔
２２  挿入孔
２３  蒸気口部材
２４  突出部
２５  環状リブ部
２６  蒸気孔
２７  蒸気抜け孔
２８  空気層
２９  爪部
３０  爪受け部
３１  窪み部
３２  突起部
３３  リブ
３４  排水口
３５  注ぎ口
３６  スリット
３７  内壁面
Ｃ  フィルタカップ
Ｊ  ジャグ
【図１】
2005329054.tif 000003
【図２】
2005329054.tif 000004
【図３】
2005329054.tif 000005
【図４】
2005329054.tif 000006
【図５】
2005329054.tif 000007
【図６】
2005329054.tif 000008
【図７】
2005329054.tif 000009
【図８】
2005329054.tif 000010